【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
カード（５）としての領域と該カード領域が所定サイズの用紙（２）に配置されるレイアウト（１６）とを示す表示部（１１）と、該表示部（１１）を介して前記カード領域に表示すべきカード情報を入力する入力部（１２）と、前記カード情報を用紙に印刷させるための印刷情報を作成する印刷情報作成手段（１４）と、該印刷情報にもとづいて用紙（２）に前記カード情報を印刷するプリンタ（２０）と、からなるカード印刷システム（３）と、
該カード印刷システム（３）によって印刷された用紙（４）を搬送路（４０）に送り出す給紙機構（５０）と、該搬送路（４０）の途中に設けられた切断刃（６１，６２）によって前記用紙（４）を前記カード情報ごとに切断するカッタ機構（６０）と、裁断された前記用紙（４）をカード部と残部とに分離して排出する排出機構（８０）と、からなるカード裁断機（６）と、
を含むカード作成システム（１）であって、
前記印刷情報に、前記カッタ機構（６０）によって切断されるべき位置を示す切断位置情報（１８）と、該切断位置情報（１８）とは異なる寸法の最終切断位置情報（１８’）と、を加え、
前記切断位置情報（１８）と前記最終切断位置情報（１８’）とが、前記カード情報と共に用紙（２）に印刷されるように前記カード印刷システム（３）を構成すると共に、
前記切断位置情報（１８）を検出した際に出力される切断信号に基づいて前記用紙の送りを停止して切断した後に送りを再開し、前記最終切断位置情報（１８’）を検出した際に出力される最終切断信号に基づいて前記用紙（４）の送りを停止して切断した後に前記排出機構（８０）へと搬送するように前記カッタ機構（６０）を構成したことを特徴とするカード作成システム。
【請求項２】
前記カッタ機構（６０）は、低明度から高明度への色調の変化によって用紙先端信号を送信する用紙検出部（Ｓ１）と、低明度領域として構成された前記切断位置情報（１８）の寸法を検出して切断信号を送出するカットマーク検出部（Ｓ２）と、前記切断位置情報とは異なる寸法の最終切断位置情報（１８’）を検出して最終切断信号を送出する最終カットマーク検出部（Ｓ３）と、を有するセンサ（Ｓ）を備え、前記用紙先端信号が発せられてから前記用紙（４）の送りが停止されるまでの送り量と、前記用紙先端信号が発せられてから次の送りが停止されるまでの送り量と、の差分からステッピングモータの送り量を計測し、該送り量に応じて前記カッタ機構（６０）を制御するように構成されており、
前記切断位置情報（１８）とも前記最終切断位置情報（１８’）とも異なる寸法の位置情報（１９）を検出した際に、通常モード信号が送出され、ステッピングモータにおいて予め設定されているパルス送りで、前記用紙（４）を搬送して切断を行うように構成されたことを特徴とする請求項１に記載のカード作成システム。
【請求項３】
所定サイズの用紙（２）に、カード領域に表示すべきカード情報と共に、該カード領域の縁部を示す切断位置情報（１８）を印刷し、当該印刷された用紙（４）を裁断して前記カード情報が表示されたカード（５）を作成するカード作成システム（１）に使用されるカード裁断機（６）であって、
前記用紙（４）を搬送路（４０）に送り出す給紙機構（５０）と、
前記搬送路（４０）の途中に設けられた切断刃（６１，６２）によって前記用紙（４）を前記カード情報ごとに切断するカッタ機構（６０）と、
切断された前記用紙（４）をカード部と残部とに分離して排出する排出機構（８０）と、を設けると共に、
前記カッタ機構（６０）を、前記切断位置情報（１８）を検出した際に切断信号を送出するカットマーク検出部と、該切断位置情報とは異なる寸法の最終切断位置情報を検出した際に最終切断信号を送出する最終カットマーク検出部とを備えたセンサ（Ｓ）を設けた構成とし、
前記切断信号を受け、前記用紙（４）の送りを停止して前記切断刃（６１，６２）を動作させた後に前記用紙（４）の送りを再開されるようにステッピングモータを動作させ、前記最終切断信号を受け、前記用紙（４）の送りを停止して前記切断刃（６１，６２）を動作させたのち前記排出機構（８０）へと搬送するように構成したことを特徴とするカード裁断機。
【請求項４】
前記カッタ機構（６０）は、低明度から高明度への色調の変化によって用紙先端信号を送信する用紙検出部（Ｓ１）と、低明度領域として構成された前記切断位置情報（１８）の寸法を検出して切断信号を送出するカットマーク検出部（Ｓ２）と、前記切断位置情報とは異なる寸法の最終切断位置情報（１８’）を検出して最終切断信号を送出する最終カットマーク検出部（Ｓ３）と、を前記用紙（４）の搬送路（４０）の側縁部に備え、前記用紙先端信号が発せられてから前記用紙（４）の送りが停止されるまでの送り量と、前記用紙先端信号が発せられてから次の送りが停止されるまでの送り量と、の差分からステッピングモータの送り量を計測し、該送り量に応じて前記カッタ機構（６０）を制御するように構成されており、
前記切断位置情報（１８）とも前記最終切断位置情報（１８’）とも異なる寸法の位置情報（１９）を検出した際に、通常モード信号が送出され、ステッピングモータにおいて予め設定されているパルス送りで、前記用紙（４）を搬送して切断を行うと共に、
前記カード領域以外の余白部を前記用紙（４）の搬送方向に沿って切り落とすスリッタ機構（７０）と、搬送路（４０）に直交する方向の中間部に設けられた第２のセンサ（Ｓｄ）と、を更に設け、該第２のセンサ（Ｓｄ）からの前記切断信号に基づき、前記スリッタ機構（７０）を動作させるように構成したことを特徴とする請求項３に記載のカード裁断機。
【手続補正２】
【補正対象書類名】明細書
【補正対象項目名】０００７
【補正方法】変更
【補正の内容】
【０００７】
上記課題を解決するために、本発明に係るカード作成システムは、カードとしての領域と該カード領域が所定サイズの用紙に配置されるレイアウトとを示す表示部と、該表示部を介して前記カード領域に表示すべきカード情報を入力する入力部と、前記カード情報を用紙に印刷させるための印刷情報を作成する印刷情報作成手段と、該印刷情報にもとづいて用紙に前記カード情報を印刷するプリンタと、からなるカード印刷システムと、該カード印刷システムによって印刷された用紙を搬送路に送り出す給紙機構と、該搬送路の途中に設けられた切断刃によって前記用紙を前記カード情報ごとに切断するカッタ機構と、裁断された前記用紙をカード部と残部とに分離して排出する排出機構と、からなるカード裁断機と、を含むカード作成システムであって、前記印刷情報に、前記カッタ機構によって切断されるべき位置を示す切断位置情報と、該切断位置情報とは異なる寸法の最終切断位置情報と、を加え、前記切断位置情報と前記最終切断位置情報とが、前記カード情報と共に用紙に印刷されるように前記カード印刷システムを構成すると共に、前記切断位置情報を検出した際に出力される切断信号に基づいて前記用紙の送りを停止して切断した後に送りを再開し、前記最終切断位置情報を検出した際に出力される最終切断信号に基づいて前記用紙の送りを停止して切断した後に前記排出機構へと搬送するように前記カッタ機構を構成したことを特徴とするものである。
【手続補正３】
【補正対象書類名】明細書
【補正対象項目名】０００８
【補正方法】変更
【補正の内容】
【０００８】
この場合、前記カッタ機構は、低明度から高明度への色調の変化によって用紙先端信号を送信する用紙検出部と、低明度領域として構成された前記切断位置情報の寸法を検出して切断信号を送出するカットマーク検出部と、前記切断位置情報とは異なる寸法の最終切断位置情報を検出して最終切断信号を送出する最終カットマーク検出部と、を有するセンサを備え、前記用紙先端信号が発せられてから前記用紙の送りが停止されるまでの送り量と、前記用紙先端信号が発せられてから次の送りが停止されるまでの送り量と、の差分からステッピングモータの送り量を計測し、該送り量に応じて前記カッタ機構を制御するように構成されており、前記切断位置情報とも前記最終切断位置情報とも異なる寸法の位置情報を検出した際に、通常モード信号が送出され、ステッピングモータにおいて予め設定されているパルス送りで、前記用紙を搬送して切断を行うように構成されていてもよい。
【手続補正４】
【補正対象書類名】明細書
【補正対象項目名】０００９
【補正方法】変更
【補正の内容】
【０００９】
本発明に係るカード裁断機は、所定サイズの用紙に、カード領域に表示すべきカード情報と共に、該カード領域の縁部を示す切断位置情報を印刷し、当該印刷された用紙を裁断して前記カード情報が表示されたカードを作成するカード作成システムに使用されるカード裁断機であって、前記用紙を搬送路に送り出す給紙機構と、前記搬送路の途中に設けられた切断刃によって前記用紙を前記カード情報ごとに切断するカッタ機構と、切断された前記用紙をカード部と残部とに分離して排出する排出機構と、を設けると共に、前記カッタ機構を、前記切断位置情報を検出した際に切断信号を送出するカットマーク検出部と、該切断位置情報とは異なる寸法の最終切断位置情報を検出した際に最終切断信号を送出する最終カットマーク検出部とを備えたセンサを設けた構成とし、前記切断信号を受けて、前記用紙の送りを停止して前記切断刃を動作させた後に前記用紙の送りを再開されるようにステッピングモータを動作させ、前記最終切断信号を受けて、前記用紙の送りを停止して前記切断刃を動作させたのち前記排出機構へと搬送するように構成したことを特徴とするものとした。
【手続補正５】
【補正対象書類名】明細書
【補正対象項目名】００１０
【補正方法】変更
【補正の内容】
【００１０】
この場合、前記カッタ機構は、低明度から高明度への色調の変化によって用紙先端信号を送信する用紙検出部と、低明度領域として構成された前記切断位置情報の寸法を検出して切断信号を送出するカットマーク検出部と、前記切断位置情報とは異なる寸法の最終切断位置情報を検出して最終切断信号を送出する最終カットマーク検出部と、からなるセンサを前記用紙の搬送路の側縁部に備え、前記用紙先端信号が発せられてから前記用紙の送りが停止されるまでの送り量と、前記用紙先端信号が発せられてから次の送りが停止されるまでの送り量と、の差分からステッピングモータの送り量を計測し、該送り量に応じて前記カッタ機構を制御するように構成されており、前記切断位置情報とも前記最終切断位置情報とも異なる寸法の位置情報を検出した際に、通常モード信号が送出され、ステッピングモータにおいて予め設定されているパルス送りで、前記用紙を搬送して切断を行うと共に、カード領域以外の余白部を前記用紙の搬送方向に沿って切り落とすスリッタ機構と、搬送路に直交する方向の中間部に設けられた第２のセンサと、を更に設け、該第２のセンサからの前記切断信号に基づき、前記スリッタ機構を動作させるように構成されたことを特徴とするものであってもよい。
【手続補正６】
【補正対象書類名】明細書
【補正対象項目名】００１２
【補正方法】変更
【補正の内容】
【００１２】
この場合、カード裁断機のカッタ機構を、用紙先端信号を送出する用紙検出部と、切断信号を送出するカットマーク検出部と、前記切断位置情報とは異なる最終切断位置情報を検出して最終切断信号を送出する最終カットマーク検出部と、を有するセンサを含んだ構成とし、用紙先端信号が発せられてから用紙の送りが停止されるまでの送り量と、用紙先端信号が発せられてから用紙の送りが停止されるまでの送り量との差分からステッピングモータの送りパルスを計測して記憶させ、その送りパルスに応じてカッタ機構の動作を制御させるようにしたので、ステッピングモータを使用して、用紙送りと切断を連携させたカード切断の制御を行うことが可能となる。
【手続補正７】
【補正対象書類名】明細書
【補正対象項目名】００１３
【補正方法】変更
【補正の内容】
【００１３】
請求項３に係るカード裁断機は、カード情報と共に印刷された切断位置情報に従って用紙の切断が行われるので、様々なサイズのカードを作成することができる。切断位置を検出しながらカッタ機構が制御されるので、１枚の用紙に異なるサイズのカードを含めた印刷用紙であっても、それぞれのカード領域に応じた位置において切断することが可能となる。これによって、任意のサイズのカード裁断が可能となり、裁断作業の前に、マニュアルでレイアウト選択をしておく必要がなくなる。そのため、レイアウト選択の失念による裁断ミスを防止することができる。
請求項４に係るカード裁断機は、センサを、低明度から高明度への色調の変化によって用紙先端信号を送信する用紙検出部と、低明度領域として構成された前記切断位置情報の寸法を検出して切断信号を送出する前記カットマーク検出部と、前記切断位置情報とは異なる最終切断位置情報を検出して最終切断信号を送出する前記最終カットマーク検出部と、を有する構成とし、用紙先端信号が発せられてから前記用紙の送りが停止されるまでの送り量と、前記用紙先端信号が発せられてから次の送りが停止されるまでの送り量との差分からステッピングモータの送り量を計測し、該送り量に応じて前記カッタ機構の動作を制御させようにしたので、用紙送りの制御を正確なものとすることができる。
【手続補正８】
【補正対象書類名】明細書
【補正対象項目名】００１４
【補正方法】変更
【補正の内容】
【００１４】
特に、センサを、切断位置情報とも最終切断位置情報とも異なる寸法の位置情報を検出した際に、通常モード信号を送出する構成とし、通常モード信号をステッピングモータが受けることで、予め設定されているパルス送りで用紙を搬送して切断を行うようにしたので、従来品として提供された印刷システムにおいて作成されたカード用紙を裁断することが可能となる。
また、カード領域以外の余白部を用紙の搬送方向に沿って切り落とすスリッタ機構を有する構成とし、用紙の搬送路の側縁部に設けられた前記センサに加えて、搬送路に直交する方向の中間部に設けられた第２のセンサを設け、そのセンサからの前記切断信号に基づいてスリッタ機構を動作させるように構成したので、スリッタ機構の制御も同時に行うことが可能となる。